(57)【特許請求の範囲】
【請求項１】
車両の前方にある障害物を検出する障害物検出手段と、
前記障害物検出手段によって検出された前記障害物と前記車両とが衝突する虞があるか否かを判定する衝突判定手段と、
前記衝突判定手段によって前記障害物と前記車両とが衝突する虞があると判定された場合に、ステアリングの操作によって前記障害物と前記車両との衝突が回避できるか否か判定する回避判定手段と、
前記車両と前記障害物との衝突の虞が解消されたか否かを判定する終了判定手段と、
前記回避判定手段でステアリングの操作によって前記障害物との衝突を回避できると判定された時点から、前記終了判定手段により前記車両と前記障害物との衝突の虞が解消されたと判定される時点までの間において、変速機の変速比を固定する変速機制御手段と、を有することを特徴とする車両制御装置。
【請求項２】
前記変速機制御手段は、前記回避判定手段でステアリングの操作によって前記障害物との衝突を回避できると判定された場合に、前記変速機の変速比を、前記回避判定手段でステアリングの操作によって前記障害物との衝突を回避できると判定された時点の変速比に固定することを特徴とする請求項１に記載の車両制御装置。
【請求項３】
前記変速機制御手段は、
前記回避判定手段でステアリングの操作によって前記障害物との衝突を回避できると判定された時点から、前記回避判定手段でステアリングの操作によって前記障害物との衝突を回避できないと判定される時点、又は、前記終了判定手段により前記車両と前記障害物との衝突の虞が解消されたと判定される時点までの間において、前記変速機の変速比を固定し、
前記回避判定手段でステアリングの操作によって前記障害物との衝突を回避できないと判定された場合には、変速機の変速比を大きくすることを特徴とする請求項１又は請求項２に記載の車両制御装置。
【請求項４】
前記車両の車速を取得する車速取得手段と、
車両から前記障害物検出手段によって検出された前記障害物までの距離を取得する距離取得手段と、
車両の周囲の道路状況を取得する道路状況取得手段と、を有し、
前記回避判定手段は、前記車速取得手段によって取得された車速と前記距離取得手段により取得された前記障害物までの距離と前記道路状況取得手段により取得された道路状況とに基づいて前記障害物と車両との衝突が回避できるか否か判定することを特徴とする請求項１乃至請求項３のいずれかに記載の車両制御装置。
【請求項５】
前記道路状況取得手段は前記車両の走行するレーンに隣接する隣接レーンを走行する他車両の走行位置を取得し、
前記回避判定手段は、前記道路状況取得手段により取得された他車両の走行位置に基づいて前記障害物と車両との衝突が回避できるか否か判定することを特徴とする請求項４に記載の車両制御装置。
【請求項６】
前記車両の車速を取得する車速取得手段と、
前記車速取得手段によって取得された車速に基づいて前記車両の制動距離を算出する制動距離算出手段と、
車両から前記障害物検出手段によって検出された前記障害物までの距離を取得する距離取得手段と、を有し、
前記衝突判定手段は、前記制動距離算出手段によって算出された制動距離が前記距離取得手段により取得された前記障害物までの距離より長い場合に前記障害物と車両とが衝突する虞があると判定することを特徴とする請求項１乃至請求項３のいずれかに記載の車両制御装置。
【請求項７】
車両の前方にある障害物を検出する障害物検出ステップと、
前記障害物検出ステップによって検出された前記障害物と前記車両とが衝突する虞があるか否かを判定する衝突判定ステップと、
前記衝突判定ステップによって前記障害物と前記車両とが衝突する虞があると判定された場合に、ステアリングの操作によって前記障害物と前記車両との衝突が回避できるか否か判定する回避判定ステップと、
前記車両と前記障害物との衝突の虞が解消されたか否かを判定する終了判定ステップと、
前記回避判定ステップでステアリングの操作によって前記障害物との衝突を回避できると判定された時点から、前記終了判定ステップにより前記車両と前記障害物との衝突の虞が解消されたと判定される時点までの間において、変速機の変速比を固定する変速機制御ステップと、を有することを特徴とする車両制御方法。
【請求項８】
コンピュータに、
車両の前方にある障害物を検出する障害物検出機能と、
前記障害物検出機能によって検出された前記障害物と前記車両とが衝突する虞があるか否かを判定する衝突判定機能と、
前記衝突判定機能によって前記障害物と前記車両とが衝突する虞があると判定された場合に、ステアリングの操作によって前記障害物と前記車両との衝突が回避できるか否か判定する回避判定機能と、
前記車両と前記障害物との衝突の虞が解消されたか否かを判定する終了判定機能と、
前記回避判定機能でステアリングの操作によって前記障害物との衝突を回避できると判定された時点から、前記終了判定機能により前記車両と前記障害物との衝突の虞が解消されたと判定される時点までの間において、変速機の変速比を固定する変速機制御機能と、
を実行させることを特徴とするコンピュータプログラム。
【発明の詳細な説明】
【技術分野】
【０００１】
本発明は、前方に障害物を検出した際において適切な車両制御を行う車両制御装置、車両制御方法及びコンピュータプログラムに関する。
【背景技術】
【０００２】
従来より、ナビゲーション装置の地図データから得られる道路情報や、ＧＰＳ等によって特定される現在位置等の車両の走行に係る各種情報を取得し、運転手に対する報知や、運転の補助、さらには運転への介入を行うことで車両事故を防止する車両制御装置について提案されている。このような車両制御装置は様々な条件及びタイミングで車両制御を行うが、特に車両走行中において前方に他車両等の障害物を検出した際には、障害物との接触を回避するため、或いは接触した際の被害を軽減する為に、ブレーキを作動させて車両の減速や回頭を行う。
【０００３】
例えば、特開２００７−１４５１５２号公報には、自車が障害物と接触する危険性が高いにもかかわらず運転者の操舵回避行動がとられていない場合に、車速や障害物までの距離から障害物を回避可能か否かを判定し、障害物を回避可能なときには回避する方向の車輪にブレーキを作用させることにより制動と同時に回避方向に車両を回頭させるとともに、障害物を回避できないときには左右車輪に均等にブレーキを作用させることにより車両を回頭させずに制動のみさせる技術について記載されている。
【特許文献１】特開２００７−１４５１５２号公報（第４頁〜第７頁、図２〜図６）
【発明の開示】
【発明が解決しようとする課題】
【０００４】
ここで、前記した特許文献１に記載された車両制御装置のように障害物に対する制動制御を行う場合には、その後に車両が回避運動を行うか否かに関わらず、ブレーキによる制動制御とともにＡＴ（Automatic Transmission）のシフトダウンによる制動制御を併せて行っていた。しかしながら、車両の回避運動が行われる際に同時にＡＴをシフトダウンすることとすると、車両の横滑り等が発生し、車両挙動が悪化する虞がある。
【０００５】
本発明は前記従来における問題点を解消するためになされたものであり、車両に回避運動を行わせる場合に変速機の変速比を固定することによって、車両の回避運動中に横滑り等が発生することを防止し、車両の挙動を安定させることを可能とした車両制御装置、車両制御方法及びコンピュータプログラムを提供することを目的とする。
【課題を解決するための手段】
【０００６】
前記目的を達成するため本願の請求項１に係る車両制御装置（１）は、車両（２）の前方にある障害物を検出する障害物検出手段（２３）と、前記障害物検出手段によって検出された前記障害物と前記車両とが衝突する虞があるか否かを判定する衝突判定手段（２３）と、前記衝突判定手段によって前記障害物と前記車両とが衝突する虞があると判定された場合に、ステアリングの操作によって前記障害物と前記車両との衝突が回避できるか否か判定する回避判定手段（２３）と、前記車両と前記障害物との衝突の虞が解消されたか否かを判定する終了判定手段（２３）と、前記回避判定手段でステアリングの操作によって前記障害物との衝突を回避できると判定された時点から、前記終了判定手段により前記車両と前記障害物との衝突の虞が解消されたと判定される時点までの間において、変速機の変速比を固定する変速機制御手段（２３）と、を有することを特徴とする。
また、請求項２に係る車両制御装置は、請求項１に記載の車両制御装置（１）において、前記変速機制御手段は、前記回避判定手段でステアリングの操作によって前記障害物との衝突を回避できると判定された場合に、前記変速機の変速比を、前記回避判定手段でステアリングの操作によって前記障害物との衝突を回避できると判定された時点の変速比に固定することを特徴とする。
【０００７】
また、請求項３に係る車両制御装置は、請求項１又は請求項２に記載の車両制御装置（１）において、前記変速機制御手段（２３）は、前記回避判定手段でステアリングの操作によって前記障害物との衝突を回避できると判定された時点から、前記回避判定手段でステアリングの操作によって前記障害物との衝突を回避できないと判定される時点、又は、前記終了判定手段により前記車両と前記障害物との衝突の虞が解消されたと判定される時点までの間において、前記変速機の変速比を固定し、前記回避判定手段（２３）でステアリングの操作によって前記障害物との衝突を回避できないと判定された場合には、変速機の変速比を大きくすることを特徴とする。
【０００８】
また、請求項４に係る車両制御装置は、請求項１乃至請求項３のいずれかに記載の車両制御装置（１）において、前記車両（２）の車速を取得する車速取得手段（２３）と、車両から前記障害物検出手段によって検出された前記障害物までの距離を取得する距離取得手段（２３）と、車両の周囲の道路状況を取得する道路状況取得手段（２３）と、を有し、前記回避判定手段（２３）は、前記車速取得手段によって取得された車速と前記距離取得手段により取得された前記障害物までの距離と前記道路状況取得手段により取得された道路状況とに基づいて前記障害物と車両との衝突が回避できるか否か判定することを特徴とする。
【０００９】
また、請求項５に係る車両制御装置は、請求項４に記載の車両制御装置（１）において、前記道路状況取得手段（２３）は前記車両（２）の走行するレーンに隣接する隣接レーンを走行する他車両の走行位置を取得し、前記回避判定手段（２３）は、前記道路状況取得手段により取得された他車両の走行位置に基づいて前記障害物と車両との衝突が回避できるか否か判定することを特徴とする。
【００１０】
また、請求項６に係る車両制御装置は、請求項１乃至請求項３のいずれかに記載の車両制御装置（１）において、前記車両（２）の車速を取得する車速取得手段（２３）と、前記車速取得手段によって取得された車速に基づいて前記車両の制動距離を算出する制動距離算出手段（２３）と、車両から前記障害物検出手段によって検出された前記障害物までの距離を取得する距離取得手段（２３）と、を有し、前記衝突判定手段（２３）は、前記制動距離算出手段によって算出された制動距離が前記距離取得手段により取得された前記障害物までの距離より長い場合に前記障害物と車両とが衝突する虞があると判定することを特徴とする。
【００１１】
また、請求項７に係る車両制御方法は、車両（２）の前方にある障害物を検出する障害物検出ステップ（Ｓ１）と、前記障害物検出ステップによって検出された前記障害物と前記車両とが衝突する虞があるか否かを判定する衝突判定ステップ（Ｓ４）と、前記衝突判定ステップによって前記障害物と前記車両とが衝突する虞があると判定された場合に、ステアリングの操作によって前記障害物と前記車両との衝突が回避できるか否か判定する回避判定ステップ（Ｓ２１〜Ｓ２５）と、前記車両と前記障害物との衝突の虞が解消されたか否かを判定する終了判定ステップと、前記回避判定ステップでステアリングの操作によって前記障害物との衝突を回避できると判定された時点から、前記終了判定ステップにより前記車両と前記障害物との衝突の虞が解消されたと判定される時点までの間において、変速機の変速比を固定する変速機制御ステップ（Ｓ１６）と、を有することを特徴とする。
【００１２】
更に、請求項８に係るコンピュータプログラムは、コンピュータに搭載され、車両（２）の前方にある障害物を検出する障害物検出機能（Ｓ１）と、前記障害物検出機能によって検出された前記障害物と前記車両とが衝突する虞があるか否かを判定する衝突判定機能（Ｓ４）と、前記衝突判定機能によって前記障害物と前記車両とが衝突する虞があると判定された場合に、ステアリングの操作によって前記障害物と前記車両との衝突が回避できるか否か判定する回避判定機能（Ｓ２１〜Ｓ２５）と、前記車両と前記障害物との衝突の虞が解消されたか否かを判定する終了判定機能と、前記回避判定機能でステアリングの操作によって前記障害物との衝突を回避できると判定された時点から、前記終了判定機能により前記車両と前記障害物との衝突の虞が解消されたと判定される時点までの間において、変速機の変速比を固定する変速機制御機能（Ｓ１６）と、を実行させることを特徴とする。
【発明の効果】
【００１３】
前記構成を有する請求項１に記載の車両制御装置によれば、車両の前方に障害物を検出した場合であって、且つ検出した障害物を回避する為の回避運動を車両に行わせる場合に、変速機の変速比を固定するので、車両の回避運動中に横滑り等が発生することを防止することができる。従って、車両の挙動を安定させた状態で安全に走行させることが可能となる。
また、請求項２に記載の車両制御装置によれば、ステアリングの操作によって障害物との衝突を回避できると判定された場合に、変速機の変速比を、ステアリングの操作によって障害物との衝突を回避できると判定された時点の変速比に固定するので、車両の回避運動中に横滑り等が発生することを防止することができる。
【００１４】
また、請求項３に記載の車両制御装置によれば、障害物との衝突が避けられない場合であっても、エンジンブレーキにより車両に制動を生じさせるので、衝突の際の衝撃を軽減することができる。
【００１５】
また、請求項４に記載の車両制御装置によれば、車両の周囲の道路状況を参照することにより、車両と障害物との相対的な関係に加えて、車両が障害物を回避する際の回避経路が確保できるか否かについても考慮することができ、ステアリングの操作によって車両と障害物との衝突が回避できるか否かを正確に判定することが可能となる。
【００１６】
また、請求項５に記載の車両制御装置によれば、隣接レーンを走行する他車両について考慮することにより、車両が障害物を回避する際の隣接レーンへの回避経路が確保できるか否かを把握できる。そして、回避経路の確保についての把握結果を用いることにより、ステアリングの操作によって車両と障害物との衝突が回避できるか否かをより正確に判定することが可能となる。
【００１７】
また、請求項６に記載の車両制御装置によれば、車両の車速に基づいて算出された制動距離と車両の前方に位置する障害物までの距離とを比較することにより、車両と障害物との衝突の虞があるか否かを正確に判定することが可能となる。
【００１８】
また、請求項７に記載の車両制御方法によれば、車両の前方に障害物を検出した場合であって、且つ検出した障害物を回避する為の回避運動を車両に行わせる場合に、変速機の変速比を固定するので、車両の回避運動中に横滑り等が発生することを防止することができる。従って、車両の挙動を安定させた状態で安全に走行させることが可能となる。
【００１９】
更に、請求項８に記載のコンピュータプログラムによれば、車両の前方に障害物を検出した場合であって、且つ検出した障害物を回避する為の回避運動を車両に行わせる場合に、変速機の変速比を固定させるので、車両の回避運動中に横滑り等が発生することを防止することができる。従って、車両の挙動を安定させた状態で安全に走行させることが可能となる。
【発明を実施するための最良の形態】
【００２０】
以下、本発明に係る車両制御装置について具体化した実施形態に基づき図面を参照しつつ詳細に説明する。
先ず、本実施形態に係る車両制御装置１の概略構成について図１を用いて説明する。図１は本実施形態に係る車両制御装置１の概略構成図である。
図１に示すように、本実施形態に係る車両制御装置１は、車両２に対して設置されたナビゲーション装置３、エンジン４、ＡＴ（Automatic Transmission）５、ブレーキ６Ａ〜６Ｄ、エンジンＥＣＵ７、ＡＴＥＣＵ８、ブレーキＥＣＵ９、カメラＥＣＵ１０、アクセルペダル１１、ブレーキペダル１２、前方カメラ１３、後方カメラ１４、ミリ波レーダ１５、１５等で構成されている。
【００２１】
ここで、ナビゲーション装置３は、車両２の室内のセンターコンソール又はパネル面に備え付けられ、地図や目的地までの探索経路を表示する液晶ディスプレイや経路案内に関する音声ガイダンスを出力するスピーカ等を備えている。そして、ＧＰＳ等によって車両２の現在位置を特定するととともに、目的地が設定された場合においては目的地までの経路の探索、並びに設定された経路に従った案内を液晶ディスプレイやスピーカを用いて行う。また、本実施形態に係るナビゲーション装置３は、後述の衝突防止制御を行う際に、最適な回避運動ができるように車両の制御（具体的には、ＡＴのシフトダウン又はＡＴのシフトホールド）を行う。また、衝突時の衝撃を小さくする為に車両の制動制御（具体的には、ＡＴのシフトダウンやブレーキ６Ａ〜６Ｄによるブレーキ圧の増加）についても行う。尚、ナビゲーション装置３の詳細については後述する。
【００２２】
また、エンジン４はガソリン、軽油、エタノール等の燃料によって駆動される内燃機関等のエンジンであり、車両２の駆動源として用いられる。そして、エンジン４の駆動力であるエンジントルクはＡＴ５やプロペラシャフトやドライブシャフトを介して車輪に伝達され、車両２が駆動される。
【００２３】
また、ＡＴ５は、速度やエンジン回転数に応じ、変速比を自動的に切り替える機能を備えた変速機である。そして、ＡＴ５はエンジン４で生じたエンジントルクを変速するとともに、変速したトルクをプロペラシャフトへと伝達する。尚、本実施形態では後述の衝突防止制御において、変速比を大きくするダウンシフト制御又は変速比を固定するシフトホールド制御のいずれかが行われる。また、ＡＴ５としてはＣＶＴ（無段変速機）を用いても良い。
【００２４】
また、ブレーキ６Ａ〜６Ｄは車両２の前後左右に配置された車輪に対してそれぞれ設置され、車輪の回転速度を摩擦によって低下させる機構である。尚、ブレーキの種類としてはドラムブレーキやディスクブレーキがある。
【００２５】
また、エンジンＥＣＵ（エレクトロニック・コントロール・ユニット）７は図示しないＣＰＵ、ＲＡＭ、ＲＯＭ等からなり、エンジン４の制御を行う電子制御ユニットである。また、エンジンＥＣＵ７には、ナビゲーション装置３及びアクセルペダル１１が接続される。そして、エンジンＥＣＵ７はアクセルペダル１１の操作に基づいて、エンジン４のスロットルバルブの開閉量等を制御する。
【００２６】
また、ＡＴＥＣＵ８は図示しないＣＰＵ、ＲＡＭ、ＲＯＭ等からなり、ＡＴ５の制御を行う電子制御ユニットである。また、ＡＴＥＣＵ８には、ナビゲーション装置３が接続される。そして、ＡＴＥＣＵ８はナビゲーション装置３からの指示信号に基づいて、ＡＴの変速比等を制御する。
【００２７】
また、ブレーキＥＣＵ９は図示しないＣＰＵ、ＲＡＭ、ＲＯＭ等からなり、ブレーキ６Ａ〜６Ｄの制御を行う電子制御ユニットである。また、ブレーキＥＣＵ９には、ナビゲーション装置３及びブレーキペダル１２が接続される。そして、ブレーキＥＣＵ９はナビゲーション装置３からの指示信号又はブレーキペダル１２の操作に基づいて、ブレーキ６Ａ〜６Ｄによるブレーキ量等を制御する。
【００２８】
また、カメラＥＣＵ１０は図示しないＣＰＵ、ＲＡＭ、ＲＯＭ等からなり、前方カメラ１３及び後方カメラ１４の制御を行う電子制御ユニットである。
【００２９】
また、アクセルペダル１１は車両２の室内の運転席に配置され、運転者によって操作される。そして、アクセルペダル１１が運転者によって操作されると、アクセルペダル１１の踏み量がエンジンＥＣＵ７に送信され、スロットルバルブの開閉量が調整される。
【００３０】
また、ブレーキペダル１２は同じく車両２の室内の運転席に配置され、運転者によって操作される。そして、ブレーキペダル１２が運転者によって操作されると、ブレーキペダル１２の踏み量がブレーキＥＣＵ９に送信され、ブレーキ量が調整される。
【００３１】
前方カメラ１３及び後方カメラ１４は、例えばＣＣＤ等の固体撮像素子を用いたものであり、車両２の前方及び後方に装着されたナンバープレートの上中央付近に取り付けられ、視線方向を水平より所定角度下方に向けて設置される。そして、走行時に車両２の進行方向となる車両前方と逆方向となる車両後方をそれぞれ撮像する。また、車両制御装置１は後述のように前方カメラ１３や後方カメラ１４で撮像した撮像画像から、車両２の周囲道路状況や、車両２の周囲の路面上に形成されたレーンを区画するレーン区画線等の路面標示や中央分離帯を検出する。そして、検出されたレーン区画線や中央分離帯に基づいて、車両２が現在走行中のレーン（以下、走行レーンという）を特定する（例えば、最も左側のレーンを走行していることや右から２番目のレーンを走行していること等を特定する）。尚、レーン区画線としては、車道中央線、車線境界線、車道外側線、歩行者横断指導線等がある。
【００３２】
また、ミリ波レーダ１５は、車両２の前面及び後面に装着されたナンバープレートの上中央付近及び左右のドアミラー付近の計４箇所にそれぞれ取り付けられ、車両周囲の所定範囲内（例えば、車両２の前後１００ｍ範囲内）を認識範囲とする障害物検出センサである。ここで、ミリ波レーダ１５は、電波送信部及び電波受信部とからなり、ミリ波を出射するとともに障害物から反射してきた電波を受信する。そして、車両制御装置１は、伝搬時間やドップラー効果によって生じる周波数差などを基に、障害物の位置や自車との相対速度を測定する。尚、本実施形態に係る車両制御装置１は、ミリ波レーダ１５を用いて車両の周囲を走る他車両（障害物）の位置と相対速度をそれぞれ検出する。
【００３３】
また、本実施形態に係る車両制御装置１では、車両２の前方に他車両等の障害物を検出し、車両２がその障害物に衝突する虞のある状況において衝突防止制御を行う。
ここで、以下に衝突防止制御について簡単に説明する。衝突防止制御では、先ず車両の走行状態や周囲状況から車両２がステアリング操作によって障害物との衝突が回避できるか否かを判定する。その後、ステアリング操作によって障害物との衝突が回避できると判定した場合にはＡＴ５をシフトホールドし、運転者に障害物を回避する為のステアリング操作を促す。一方、ステアリング操作によって障害物との衝突が回避できないと判定した場合にはＡＴ５をシフトダウンするとともにブレーキ６Ａ〜６Ｄを作動させて、車両２の制動制御を行う。
【００３４】
次に、上記車両制御装置１を構成するナビゲーション装置３について図２を用いてより詳細に説明する。図２は本実施形態に係るナビゲーション装置３の制御系を模式的に示すブロック図である。
【００３５】
図２に示すように本実施形態に係るナビゲーション装置３は、自車の現在位置を検出する現在位置検出部２１と、各種のデータが記録されたデータ記録部２２と、入力された情報に基づいて、各種の演算処理を行うナビゲーションＥＣＵ（障害物検出手段、衝突判定手段、回避判定手段、変速機制御手段、車速取得手段、制動距離算出手段、距離取得手段、道路状況取得手段）２３と、ユーザからの操作を受け付ける操作部２４と、ユーザに対して自車周辺の地図を表示する液晶ディスプレイ２５と、経路案内に関する音声ガイダンスを出力するスピーカ２６と、プログラムを記憶した記憶媒体であるＤＶＤを読み取るＤＶＤドライブ２７と、交通情報センタ等の情報センタとの間で通信を行う通信モジュール２８と、から構成されている。また、ナビゲーションＥＣＵ２３には、自車の走行速度を検出する車速センサ２９や前記したミリ波レーダ１５等が接続される。
【００３６】
以下に、ナビゲーション装置３を構成する各構成要素について順に説明する。
現在位置検出部２１は、ＧＰＳ３１、地磁気センサ３２、距離センサ３３、ステアリングセンサ３４、方位検出部としてのジャイロセンサ３５、高度計（図示せず）等からなり、現在の自車の位置、方位等を検出することが可能となっている。
【００３７】
また、データ記録部２２は、外部記憶装置及び記録媒体としてのハードディスク（図示せず）と、ハードディスクに記録された地図情報ＤＢ３６、所定のプログラム等を読み出すとともにハードディスクに所定のデータを書き込む為のドライバである記録ヘッド（図示せず）とを備えている。
【００３８】
ここで、地図情報ＤＢ３６は、経路案内、交通情報案内及び地図表示に必要な各種地図データが記録されている。具体的には、道路（リンク）形状に関するリンクデータ、ノード点に関するノードデータ、道路の属性に関する道路属性データ、レストランや駐車場等の施設に関する施設データ、各交差点に関する交差点データ、経路を探索するための探索データ、地点を検索するための検索データ、地図、道路、交通情報等の画像を液晶ディスプレイ２５に描画するための画像描画データ等から構成されている。尚、道路属性データとしては、例えば、一方通行の有無、道路のレーン数、車線幅、歩道幅、中央分離帯の有無等に関する情報がある。
【００３９】
一方、ナビゲーションＥＣＵ（エレクトロニック・コントロール・ユニット）２３は、目的地が選択された場合に現在位置から目的地までの誘導経路を設定する誘導経路設定処理、衝突防止制御等のナビゲーション装置３の全体の制御を行う電子制御ユニットである。そして、演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラムのほか、車両制御処理プログラム（図３〜図６参照）等が記録されたＲＯＭ４３、ＲＯＭ４３から読み出したプログラムを記録するフラッシュメモリ４４等の内部記憶装置を備えている。
【００４０】
操作部２４は、案内開始地点としての出発地及び案内終了地点としての目的地を入力する際等に操作され、各種のキー、ボタン等の複数の操作スイッチ（図示せず）から構成される。そして、ナビゲーションＥＣＵ２３は、各スイッチの押下等により出力されるスイッチ信号に基づき、対応する各種の動作を実行すべく制御を行う。尚、液晶ディスプレイ２５の前面に設けたタッチパネルによって構成することもできる。
【００４１】
また、液晶ディスプレイ２５には、道路を含む地図画像、交通情報、操作案内、操作メニュー、キーの案内、現在位置から目的地までの誘導経路、誘導経路に沿った案内情報、ニュース、天気予報、時刻、メール、テレビ番組等が表示される。特に、本実施形態に係るナビゲーション装置３では、衝突防止制御を行う際に、回避操作を促す警告や制動制御を実施する旨の警告等を液晶ディスプレイ２５に表示する。
【００４２】
また、スピーカ２６は、ナビゲーションＥＣＵ２３からの指示に基づいて誘導経路に沿った走行を案内する音声ガイダンスや、交通情報の案内を出力する。特に、本実施形態に係るナビゲーション装置３では、衝突防止制御を行う際に、回避操作を促す音声案内や制動制御を実施する旨の音声案内等をスピーカ２６にから出力する。
【００４３】
また、ＤＶＤドライブ２７は、ＤＶＤやＣＤ等の記録媒体に記録されたデータを読み取り可能なドライブである。そして、読み取ったデータに基づいて地図情報ＤＢ３６の更新等が行われる。
【００４４】
また、通信モジュール２８は、交通情報センタ、例えば、ＶＩＣＳ（登録商標：Vehicle Information and Communication System）センタやプローブセンタ等から送信された渋滞情報、規制情報、交通事故情報等の各情報から成る交通情報を受信する為の通信装置であり、例えば携帯電話機やＤＣＭが該当する。
【００４５】
また、車速センサ２９は、車両の移動距離や車速を検出する為のセンサであり、車両の車輪の回転に応じてパルスを発生させ、パルス信号をナビゲーションＥＣＵ２３に出力する。そして、ナビゲーションＥＣＵ２３は発生するパルスを計数することにより移動距離を算出する。
【００４６】
続いて、前記構成を有する車両制御装置１においてナビゲーションＥＣＵ２３が実行する車両制御処理プログラムについて図３〜図６に基づき説明する。図３は本実施形態に係る車両制御処理プログラムのフローチャートである。ここで、車両制御処理プログラムは車両のイグニションがＯＮされた後に所定間隔（例えば２００ｍｓ）で繰り返し実行され、車両の進行方向前方に障害物（例えば他車両）を検出した際に障害物に対する回避の可否に基づいたＡＴ制御を行うプログラムである。尚、以下の図３〜図６にフローチャートで示されるプログラムは、ナビゲーション装置３が備えているＲＡＭ４２やＲＯＭ４３に記憶されており、ＣＰＵ４１により実行される。また、以下の実施例では、障害物として特に車両の進行方向前方を走行する前方車両を検出した場合を例に挙げて説明することとする。
【００４７】
先ず、車両制御処理プログラムでは、ステップ（以下、Ｓと略記する）１においてＣＰＵ４１は、自車の進行方向前方に位置する前方車両（障害物）の検出を行う。尚、前方車両の検出はミリ波レーダ１５を用いて行う。ここで、ミリ波レーダ１５は図７に示すように車両２の前面、後面及び左右側面に計４箇所設置されており、自車両２の周囲の認識範囲５１内にある対象物の位置並びに相対速度を検出可能である。そして、例えば図７に示すようにミリ波レーダ１５の認識範囲５１内であって、且つ自車両２と同一レーンを走行する他車両５２が存在する場合には、Ｓ１で他車両５２が前方車両として検出される。尚、上記Ｓ１が障害物検出手段の処理に相当する。
【００４８】
次に、Ｓ２においてＣＰＵ４１は、自車から前記Ｓ１で検出した前方車両までの距離（即ち、車間距離Ｌ１）を、ミリ波レーダ１５を用いて検出する。例えば、図７に示す例では、自車両２から前方車両５２までの距離が車間距離Ｌ１として検出される。尚、上記Ｓ２が距離取得手段の処理に相当する。
【００４９】
続いて、Ｓ３でＣＰＵ４１は、車速センサ２９により自車の車速を検出し、検出した車速に基づいて自車の制動距離Ｌ２を算出する。ここで、制動距離とは、運転者がブレーキペダル１２をふみ、制動が始まってから車両が完全に停止するまでに車両が走行する距離である。尚、制動距離Ｌ２の算出方法については既に公知であるので説明は省略する。また、制動距離Ｌ２は、その日の天気、タイヤの磨耗状態、路面の傾斜等によっても変化するので、それらの情報を予めナビゲーション装置３が取得するように構成することが望ましい。尚、上記Ｓ３が車速取得手段及び制動距離算出手段の処理に相当する。
【００５０】
その後、Ｓ４でＣＰＵ４１は、前記Ｓ２で検出した前方車両までの車間距離Ｌ１と、前記Ｓ３で算出した自車の制動距離Ｌ２とを比較し、制動距離Ｌ２より車間距離Ｌ１の方が短いか否か判定する。
【００５１】
その結果、図７に示すように自車の制動距離Ｌ２より車間距離Ｌ１の方が短いと判定された場合（Ｓ４：ＹＥＳ）には、自車が前方車両と衝突する虞があると判定し、Ｓ５へと移行する。そして、Ｓ５ではＣＰＵ４１は衝突防止制御を起動する。尚、衝突防止制御とは、走行中の車両における障害物との衝突を事前に判断し、安全装備を作動させることで被害を軽減する制御であり、本実施形態では特に障害物との衝突の可否を考慮したＡＴ５の制御を行う。
【００５２】
一方、図８に自車の制動距離Ｌ２より車間距離Ｌ１の方が長いと判定された場合（Ｓ４：ＮＯ）には、自車が前方車両と衝突する虞はないと判定し、衝突防止制御は起動せずに当該車両制御処理を終了する。尚、上記Ｓ４が衝突判定手段の処理に相当する。
【００５３】
次に、Ｓ６でＣＰＵ４１は、後述の衝突防止制御処理（図４）を実行する。尚、衝突防止制御処理は、ステアリングの操作によって自車と前方車両との衝突が回避できるか否かを判定し、その判定結果に基づいたＡＴ５の制御を行う処理である。
【００５４】
続いて、Ｓ７でＣＰＵ４１は、後述の終了判定処理（図６）を実行する。尚、終了判定処理は、衝突防止制御を行った結果、自車と前方車両との衝突の虞が解消されたか否かを判定する処理である。
【００５５】
更に、Ｓ８では前記Ｓ７の終了判定処理の結果に基づいて、衝突防止制御を終了するか否か判定する。具体的には、前記Ｓ７において自車と前方車両との衝突の虞が解消されたと判定された場合には衝突防止制御を終了し、自車と前方車両との衝突の虞が解消されていないと判定された場合には、衝突防止制御を継続すると判定する。
【００５６】
そして、前記Ｓ８の判定の結果、衝突防止制御を継続すると判定された場合（Ｓ８：ＮＯ）にはＳ６へと戻り、継続して衝突防止制御を行う。それに対して、衝突防止制御を終了すると判定された場合（Ｓ８：ＹＥＳ）には、当該車両制御処理を終了する。
【００５７】
次に、上記Ｓ６の衝突防止制御処理のサブ処理について図４に基づき説明する。図４は衝突防止制御処理のサブ処理プログラムのフローチャートである。
【００５８】
先ず、Ｓ１１においてＣＰＵ４１は、自車に関する自車情報を取得する。ここで、前記Ｓ１１で取得される自車情報としては、自車の現在位置、進行方向、車速、レーン位置等がある。尚、自車の現在位置に関しては、ＧＰＳ３１の検出結果とともに地図情報ＤＢ３６に記憶された地図データを用いてマップマッチング処理を行うことにより、地図上での自車両の現在位置を特定する。また、自車の進行方向及び車速に関しては、ジャイロセンサ３５や車速センサ２９を用いて検出する。更に、自車の走行するレーン位置については後方カメラ１４で撮像した画像に基づいて特定する。
【００５９】
以下に、自車の走行するレーン位置の特定処理について、その内容を簡単に説明する。先ず、ＣＰＵ４１は後方カメラ１４で撮像した画像からレーン区画線や中央分離帯の画像認識処理を行う。そして、画像認識処理の結果に基づいてレーン区画線や中央分離帯の有無及びレーン区画線の種別を検出する。その後、検出されたレーン区画線や中央分離帯と地図情報ＤＢ３６から取得した自車の現在走行する道路の道路形状に基づいて自車の走行する走行レーンを特定する。尚、自車の走行する道路のレーン数が単数である場合には、レーン位置の特定に関する処理を行う必要は無い。
【００６０】
次に、Ｓ１２においてＣＰＵ４１は、前方車両に関する前方車両情報を取得する。ここで、前記Ｓ１２で取得される前方車両情報としては、前記Ｓ２で検出した自車から前方車両までの車間距離Ｌ１と自車に対する前方車両の相対速度等がある。尚、前方車両の相対速度についてはミリ波レーダ１５を用いて検出する。
【００６１】
続いて、Ｓ１３においてＣＰＵ４１は、自車の周辺道路状況を取得する。ここで、前記Ｓ１３で取得される周辺道路状況としては、自車が現在走行するレーンに隣接する隣接レーンの状況がある。具体的には、隣接レーンを走行する他車両や隣接レーン内に配置された看板等の障害物に関する情報（位置や相対速度）を取得する。尚、周辺道路状況については、前方カメラ１３や後方カメラ１４やミリ波レーダ１５を用いて検出する。また、上記Ｓ１３が道路状況取得手段の処理に相当する。
【００６２】
その後、Ｓ１４においてＣＰＵ４１は、後述の制御種類判定処理（図５）を行う。尚、制御種類判定処理は、衝突防止制御で行う制御の種類を、（ａ）障害物との衝突を防止する為に運転者に回避運動を促す回避制御と（ｂ）障害物との衝突の際の衝撃を軽減する為に減速する制動制御のいずれが適当であるかを判定する処理である。
【００６３】
次に、Ｓ１５でＣＰＵ４１は、前記Ｓ１４の制御種類判定処理の結果、（ａ）回避制御と（ｂ）制動制御のいずれが選択されたかを判定する。
【００６４】
その結果、（ａ）回避制御が選択された場合には、ＣＰＵ４１はＡＴＥＣＵ８を介してＡＴ５の変速比を固定するシフトホールド制御を行う（Ｓ１６）。その結果、運転者がステアリングを操作することにより車両が回避運動を行う場合であっても、回避運動中にダウンシフトを行わないので、車両の横滑り等の発生が防止できる。また、前記Ｓ１６では同時に液晶ディスプレイ２５やスピーカ２６を用いて回避運動を行う旨の警告をすることが望ましい。尚、回避運動を行う旨の警告以外にも、操舵方向の案内をしても良い。また、操作支援の為の自動制御を行うようにしても良い。
【００６５】
一方、（ｂ）制動制御が選択された場合には、ＣＰＵ４１はＡＴＥＣＵ８を介してＡＴ５の変速比を大きくするダウンシフト制御を行う（Ｓ１７）。その結果、障害物との衝突が避けられない場合であっても、エンジンブレーキにより車両に制動を生じさせるので、衝突の際の衝撃を軽減することができる。また、前記Ｓ１７では同時にブレーキ６Ａ〜６Ｄによる制動制御を行うことが望ましい。更に、液晶ディスプレイ２５やスピーカ２６を用いて制動制御を行う旨の警告をすることも望ましい。尚、上記Ｓ１６及びＳ１７が変速機制御手段の処理に相当する。
【００６６】
次に、上記Ｓ１４の制御種類判定処理のサブ処理について図５に基づき説明する。図５は制御種類判定処理のサブ処理プログラムのフローチャートである。
【００６７】
先ず、Ｓ２１においてＣＰＵ４１は、前記Ｓ１１で取得した自車の車速が旋回可能速度未満であるか否か判定する。尚、旋回可能速度とは車両が安全に旋回できる速度であり、車両毎にパラメータとして設定されている。
【００６８】
そして、自車の車速が旋回可能速度未満であると判定された場合（Ｓ２１：ＹＥＳ）には、Ｓ２２へと移行する。一方、自車の車速が旋回可能速度以上であると判定された場合（Ｓ２１：ＮＯ）には、車両に回避運動をさせることが危険であるので、衝突防止制御で行う制御の種類を、障害物との衝突の際の衝撃を軽減する為に減速する制動制御が適当であると判定する（Ｓ２７）。
【００６９】
Ｓ２２でＣＰＵ４１は、前記Ｓ１１で取得した自車情報と前記Ｓ１２で取得した前方車両情報とに基づいて、前方車両の回避に必要な距離（以下、回避必要距離Ｌ３という）を算出する。
【００７０】
次に、Ｓ２３でＣＰＵ４１は、前記Ｓ２２で算出した回避必要距離Ｌ３と前方車両までの車間距離Ｌ１とを比較し、車間距離Ｌ１より回避必要距離Ｌ３の方が短いか否か判定する。
【００７１】
その結果、車間距離Ｌ１より回避必要距離Ｌ３の方が短いと判定された場合（Ｓ２３：ＹＥＳ）には、Ｓ２５へと移行する。一方、図９に示すように車間距離Ｌ１より回避必要距離Ｌ３の方が長いと判定された場合（Ｓ２３：ＮＯ）には、前方車両との接触が避けられないので、衝突防止制御で行う制御の種類を、障害物との衝突の際の衝撃を軽減する為に減速する制動制御が適当であると判定する（Ｓ２７）。
【００７２】
Ｓ２３でＣＰＵ４１は、自車の現在走行する道路の道路情報に基づいて、自車が現在走行するレーンに隣接するレーンがあるか否か判定する。そして、隣接するレーンがあると判定された場合（Ｓ２４：ＹＥＳ）には、Ｓ２５へと移行する。一方、隣接するレーンがないと判定された場合（Ｓ２４：ＮＯ）には、前方車両を回避できないので、衝突防止制御で行う制御の種類を、障害物との衝突の際の衝撃を軽減する為に減速する制動制御が適当であると判定する（Ｓ２７）。
【００７３】
Ｓ２５でＣＰＵ４１は、前記Ｓ１３で取得した周辺道路状況に基づいて、自車が現在走行するレーンに隣接する隣接レーンであって、前方車両より近い距離に障害物（例えば、他車両や看板等）が存在するか否か判定する。
【００７４】
その結果、全ての隣接レーンにおいて、前方車両より近い距離に障害物が存在すると判定された場合（Ｓ２５：ＮＯ）には、障害物によって前方車両を回避する為の経路が遮られ、前方車両との接触が避けられない。従って、衝突防止制御で行う制御の種類を、障害物との衝突の際の衝撃を軽減する為に減速する制動制御が適当であると判定する（Ｓ２７）。例えば、図１０に示す例では、左隣接レーンの自車両２と前方車両５２との間に他車両５３が存在し、右隣接レーンの自車両２と前方車両５２との間に他車両５４が存在する。従って、前方車両５２を回避する為に左側へ移動する経路は他車両５３によって遮られ、前方車両５２を回避する為に右側へ移動する経路は他車両５４によって遮られる。このような場合には、衝突防止制御で行う制御の種類として制動制御が選択される。
【００７５】
一方、少なくとも一の隣接レーンにおいて、前方車両より近い距離に障害物が存在しないと判定された場合（Ｓ２５：ＹＥＳ）には、障害物の存在しない隣接レーンにおいては、障害物によって前方車両を回避する為の経路が遮られることなく、ステアリング操作によって前方車両との接触が回避できる。従って、衝突防止制御で行う制御の種類を、運転者に回避運動を促す回避制御が適当であると判定する（Ｓ２６）。例えば、図１１では左右隣接レーンの自車両２と前方車両５２との間に障害物が存在せず、且つ車間距離Ｌ１より回避必要距離Ｌ３の方が短いので、ステアリング操作によって前方車両５２を回避することが可能である。尚、上記Ｓ２１〜Ｓ２５が回避判定手段の処理に相当する。
【００７６】
ここで、自車の前方に障害物が接近している場合であって、その障害物との接触を回避する為には、以下の２通りの方法がある。
（１）現在の車両進行方向を維持した状態で自車の制動を行うことにより、障害物と接触することなく障害物までの距離を保つ方法。
（２）ステアリングを操作して自車の進行方向を変更し、障害物の右側又は左側へと車両を移動させる回避運動を行う方法。
そして、上記（１）と（２）の方法を比較すると、（１）の方法で障害物との接触を回避する為には、（２）の方法で障害物との接触を回避するよりも早いタイミングで衝突回避の為の運転者の車両操作を開始する必要がある。
【００７７】
そして、従来の技術（例えば、特開２００７−１４５１５２号公報参照）では、（２）の方法でも障害物との接触が回避できないと判定した場合、即ち、どのような車両操作を行ったとしても障害物との接触が避けられない状況となった場合に、制動制御を開始する。更に、従来では上記したように自車と障害物との相対速度や位置関係、即ち、自車と障害物との相対的な関係のみに基づいて、（２）の方法で障害物との接触が回避できるか否かを判定している。
【００７８】
しかしながら、回避運動を行うことが不可能な状況、例えば、車両の走行するレーンに隣接する隣接レーンが無い場合や、車両の走行するレーンに隣接する隣接レーンがあったとしても、その隣接レーンに他の障害物（例えば、走行車両）がある場合には、車両は左右の隣接レーンに移動することによって前方の障害物を回避することができない。そして、従来技術のように、自車と障害物との相対的な関係のみに基づいて判定を行う場合には、上記のような操舵によって障害物との接触が回避できない状況に車両があることを判定することができなかった。
【００７９】
そこで本実施形態では、車両の走行するレーンに隣接する隣接レーンの有無や隣接レーン上にある障害物の有無に関する情報を用いることによって、上記Ｓ２４、Ｓ２５の判定処理を追加し、操舵によって障害物との接触が回避できない状況に車両があることを判定することができる。その結果、制動制御（Ｓ１７）の開始タイミングを早くすることができ、障害物との接触の際の衝撃を小さくすることが可能となる。
【００８０】
次に、上記Ｓ７の終了判定処理のサブ処理について図６に基づき説明する。図６は終了判定処理のサブ処理プログラムのフローチャートである。
【００８１】
先ず、Ｓ３１においてＣＰＵ４１は、車速センサ２９を用いて自車が停止したか否かを判定する。そして、自車が停止したと判定された場合（Ｓ３１：ＹＥＳ）には、その後に自車が障害物と接触する虞が無いので、衝突防止制御を終了すると判定する（Ｓ３２）。
【００８２】
一方、自車が走行中であると判定された場合（Ｓ３１：ＮＯ）には、更に、Ｓ３３においてミリ波レーダ１５の認識範囲５１内に前方車両が存在するか否か判定する。その結果、ミリ波レーダ１５の認識範囲５１内に前方車両が存在しないと判定された場合（Ｓ３３：ＹＥＳ）には、衝突防止制御を行った結果、自車と前方車両との衝突の虞が解消されたとみなし、衝突防止制御を終了すると判定する（Ｓ３２）。その後、Ｓ８へと移行する。
【００８３】
一方、ミリ波レーダ１５の認識範囲５１内に前方車両が存在すると判定された場合（Ｓ３３：ＮＯ）には、自車と前方車両との衝突の虞は解消されておらず、衝突防止制御を継続して行うと判定し、Ｓ８へと移行する。
【００８４】
以上詳細に説明した通り、本実施形態に係る車両制御装置１、車両制御装置１による車両制御方法、及び車両制御装置１で実行されるコンピュータプログラムでは、車両の進行方向前方を走行する前方車両を検出した（Ｓ１）場合に、前方車両までの車間距離を検出する（Ｓ２）とともに、自車両の制動距離を算出し（Ｓ３）、自車両と前方車両とが衝突する虞があると判定された場合に、衝突防止制御を行う（Ｓ６）。そして、衝突防止制御では、自車情報、前方車両情報及び周辺道路状況を考慮することにより、ステアリング操作によって前方車両との衝突が回避できるか否かを判定し（Ｓ２１〜Ｓ２７）、回避できると判定された場合にはＡＴ５をシフトホールド制御する（Ｓ１６）とともに、回避できないと判定された場合にはＡＴ５をシフトダウン制御する（Ｓ１７）ので、車両２の回避運動中に横滑り等が発生することを防止することができる。従って、車両２の挙動を安定させた状態で前方車両を確実に回避し、安全に走行させることが可能となる。
また、車両２の車速に基づいて算出された制動距離と前方車両までの距離とを比較する（Ｓ４）ことにより、車両と障害物との衝突の虞があるか否かを正確に判定することが可能となる。
また、隣接レーンを走行する他車両について考慮することにより、車両２が障害物を回避する際の隣接レーンへの回避経路が確保できるか否かを把握できる（Ｓ２５）。そして、回避経路の確保の把握結果を用いることにより、ステアリングの操作によって車両２と前方車両との衝突が回避できるか否かをより正確に判定することが可能となる。
また、隣接レーンに関する情報を用いることによって、操舵によって障害物との接触が回避できない状況、即ち、その後にどのような車両操作を行ったとしても障害物との接触が避けられない状況に車両があることを判定する（Ｓ２４、Ｓ２５）ことができる。その結果、制動制御（Ｓ１７）の開始タイミングを早くすることができ、障害物との接触の際の衝撃を小さくすることが可能となる。
また、車両の走行するレーンに隣接する隣接レーンが無い場合に障害物と車両との衝突が回避できないと判定し、車両の走行するレーンに隣接する隣接レーンがあって、且つその隣接レーンに他の障害物が有る場合に障害物と車両との衝突が回避できないと判定するので、操舵によって障害物との接触が回避できるか否かの判定について、従来より正確且つ迅速に行うことができる。
【００８５】
尚、本発明は前記実施形態に限定されるものではなく、本発明の要旨を逸脱しない範囲内で種々の改良、変形が可能であることは勿論である。
例えば、本実施形態では、障害物として特に車両の進行方向前方を走行する前方車両を検出した場合を例に挙げて説明しているが、障害物は前方車両以外のものを対象としても良い。例えば、人、自転車、ガードレール等が該当する。
【００８６】
また、本実施形態では、図３〜図６に示す車両制御処理プログラムはナビゲーション装置３の備えるナビゲーションＥＣＵ２３が実行することとしているが、エンジンＥＣＵ７、ＡＴＥＣＵ８、ブレーキＥＣＵ９等が実行するようにしても良い。また、複数のＥＣＵによって処理を分担して行うようにしても良い。
【図面の簡単な説明】
【００８７】
【図１】本実施形態に係る車両制御装置の概略構成図である。
【図２】本実施形態に係るナビゲーション装置の制御系を模式的に示すブロック図である。
【図３】本実施形態に係る車両制御装置が実行する車両制御処理プログラムのフローチャートである。
【図４】本実施形態に係る車両制御装置が実行する衝突防止制御処理のサブ処理プログラムのフローチャートである。
【図５】本実施形態に係る車両制御装置が実行する制御種類判定処理のサブ処理プログラムのフローチャートである。
【図６】本実施形態に係る車両制御装置が実行する終了判定処理のサブ処理プログラムのフローチャートである。
【図７】自車両と前方車両との衝突の虞があると判定される場合の一例を示した図である。
【図８】自車両と前方車両との衝突の虞がないと判定される場合の一例を示した図である。
【図９】ステアリング操作により前方車両との衝突が回避できないと判定される場合の一例を示した図である。
【図１０】ステアリング操作により前方車両との衝突が回避できないと判定される場合の一例を示した図である。
【図１１】ステアリング操作により前方車両との衝突が回避できると判定される場合の一例を示した図である。
【符号の説明】
【００８８】
１            車両制御装置
２            車両
３            ナビゲーション装置
４            エンジン
５            ＡＴ
７            エンジンＥＣＵ
８            ＡＴＥＣＵ
９            ブレーキＥＣＵ
２３          ナビゲーションＥＣＵ
４１          ＣＰＵ
４２          ＲＡＭ
４３          ＲＯＭ
【図１】
0005309633.tif 000002
【図２】
0005309633.tif 000003
【図３】
0005309633.tif 000004
【図４】
0005309633.tif 000005
【図５】
0005309633.tif 000006
【図６】
0005309633.tif 000007
【図７】
0005309633.tif 000008
【図８】
0005309633.tif 000009
【図９】
0005309633.tif 000010
【図１０】
0005309633.tif 000011
【図１１】
0005309633.tif 000012